(57)【要約】【課題】ユーザの好みに応じて最適な音場を形成することが可能なスピーカ装置を提供する。【解決手段】スピーカ装置は音域の異なるウーハ１及びツイータ２を備え、これらは同軸上に配置される。ウーハ１からの音波を拡散するディフューザ３は、回動軸３１の一端に連結される。また回動軸３１はウーハ１のヨークに螺合される。これにより、ディフューザ３を回動させた場合、ヨークに螺合される回動軸３１が回動し、ディフューザ３は軸方向へ上昇または下降することになる。また、貫通軸は回動軸３１内部を貫通し、その一端にツイータ２が取り付けられる。ヨーク下側に存在する保持部は、貫通軸の他端及び回動軸３１の他端を保持する。従って、回動軸３１の回動に従い保持部は貫通軸及び回動軸３１と共に軸方向へ上昇または下降し、これらに付随するディフューザ３及びツイータ２も上昇または下降する。【選択図】図２
2008182482.tif 000002
【特許請求の範囲】
【請求項１】
音域の異なる第１のスピーカ及び第２のスピーカを同軸上に配置したスピーカ装置において、
前記第１のスピーカからの音波を拡散するディフューザと、
該ディフューザに一端が連結され、前記第１のスピーカのヨークに螺合されて前記ディフューザと共に回動する円筒状の回動軸と、
一端に前記第２のスピーカが取り付けられ、前記回動軸内部を貫通する貫通軸と、
前記貫通軸の他端及び前記回動軸の他端を保持する保持部と
を備えることを特徴とするスピーカ装置。
【請求項２】
前記ヨークに設けられる案内溝と、
該案内溝に案内され、前記保持部から突設された案内軸と、
前記保持部にて前記貫通軸の他端を固定する固定部と
を備えることを特徴とする請求項１に記載のスピーカ装置。
【請求項３】
前記回動軸は、
前記第１のスピーカのヨークに螺合されるネジ溝と、
前記ヨークに対する螺合を制限するストッパと
を備えることを特徴とする請求項１または２に記載のスピーカ装置。
【請求項４】
前記貫通軸の軸方向と交差する方向へ突設された凸部と、
前記回動軸内部に設けられ前記凸部に当接する段部と
を備えることを特徴とする請求項１乃至３のいずれか一つに記載のスピーカ装置。
【請求項５】
前記第１のスピーカを収容する筒体
を備えることを特徴とする請求項１乃至４のいずれか一つに記載のスピーカ装置。
【請求項６】
音域の異なる第１のスピーカ及び第２のスピーカを同軸上に配置したスピーカ装置において、
前記第１のスピーカを収容する筒体と、
該筒体に架設される支持部と、
前記第１のスピーカからの音波を拡散するディフューザと、
該ディフューザに一端が連結され、前記第１のスピーカのヨークを貫通し、前記支持部に螺合されて前記ディフューザと共に回動する円筒状の回動軸と、
一端に前記第２のスピーカが取り付けられ、前記回動軸内部を貫通する貫通軸と、
該貫通軸の他端及び前記回動軸の他端を保持する保持部と
を備えることを特徴とするスピーカ装置。
【請求項７】
前記支持部に設けられる案内溝と、
該案内溝に案内され、前記保持部から突設された案内軸と、
前記保持部にて前記貫通軸の他端を固定する固定部と
を備えることを特徴とする請求項６に記載のスピーカ装置。
【請求項８】
前記ディフューザに取り付けられ前記第２のスピーカからの音波を拡散する第２ディフューザ
を備えることを特徴とする請求項１乃至７のいずれか一つに記載のスピーカ装置。
【請求項９】
前記第１のスピーカは、低音用のウーハであり、
前記第２のスピーカは、高音用のツイータである
ことを特徴とする請求項１乃至８のいずれか一つに記載のスピーカ装置。
【請求項１０】
前記第１のスピーカは、前記筒体の一端開口に設けられ、
前記ディフューザ及び前記第２のスピーカは、前記筒体の一端開口から突出している
ことを特徴とする請求項１乃至８のいずれか一つに記載のスピーカ装置。
【発明の詳細な説明】
【技術分野】
【０００１】
本発明は、音域の異なる複数のスピーカを同軸上に配置したスピーカ装置に関する。
【背景技術】
【０００２】
従来、中空状の筒体の開口にスピーカを設け、スピーカ装置の周囲方向へ音波を拡散する無指向性スピーカ装置が提案されている（例えば、特許文献１参照）。この無指向性スピーカ装置においては、水平軸指向性は３６０度無指向性となり、指向特性が良好になる。また、低音用のウーハと高音用のツイータとを同軸上に配置する無指向性スピーカシステムも知られている（例えば、特許文献２参照）。この無指向性スピーカシステムにおいては、低音用のスピーカと高音用のスピーカが同軸上に配されているため、これらが分散して配置されているスピーカ装置よりも音の定位が明確になるという利点がある。
【特許文献１】特開２００１−２２４０８９号公報
【特許文献２】特開平５−５６４９３号公報
【発明の開示】
【発明が解決しようとする課題】
【０００３】
しかしながら、特許文献２に記載の無指向性スピーカシステムにおいては、ウーハ上にツイータが固定されているため、ユーザが自身で好みの音場を作り出すことができないという問題があった。また、特許文献２に記載の無指向性スピーカシステムにおいては、低音用のウーハの振動が上側に設けられるツイータに伝わり音質の低下を招くという問題があった。すなわち、低音用ウーハのコーン紙が振動することに伴いツイータも振動し、その結果、クリアな音が出力できないという問題があった。なお、特許文献１にはかかる課題を解決するための手段は何ら記載されていない。
【０００４】
本発明は斯かる事情に鑑みてなされたものであり、その目的は、第１のスピーカからの音波を拡散するディフューザを設け、第１のスピーカに対してディフューザ及び第２のスピーカの高さを調整することができるよう構成することにより、ユーザの好みに応じて最適な音場を形成することが可能なスピーカ装置を提供することにある。
【０００５】
本発明の他の目的は、ディフューザに連結される回動軸の回動に対して、第２のスピーカを取り付ける貫通軸の回動を制限することにより、第２のスピーカに接続されるコードが絡まる虞の少ないスピーカ装置を提供することにある。
【０００６】
本発明の他の目的は、筒体内部に架設される支持部を設け、この支持部に回動軸を螺合させることにより、第１のスピーカの振動に伴う影響をさらに低減することが可能なスピーカ装置を提供することにある。
【課題を解決するための手段】
【０００７】
本発明に係るスピーカ装置は、音域の異なる第１のスピーカ及び第２のスピーカを同軸上に配置したスピーカ装置において、前記第１のスピーカからの音波を拡散するディフューザと、該ディフューザに一端が連結され、前記第１のスピーカのヨークに螺合されて前記ディフューザと共に回動する円筒状の回動軸と、一端に前記第２のスピーカが取り付けられ、前記回動軸内部を貫通する貫通軸と、前記貫通軸の他端及び前記回動軸の他端を保持する保持部とを備えることを特徴とする。
【０００８】
本発明に係るスピーカ装置は、前記ヨークに設けられる案内溝と、該案内溝に案内され、前記保持部から突設された案内軸と、前記保持部にて前記貫通軸の他端を固定する固定部とを備えることを特徴とする。
【０００９】
本発明に係るスピーカ装置は、前記回動軸は、前記第１のスピーカのヨークに螺合されるネジ溝と、前記ヨークに対する螺合を制限するストッパとを備えることを特徴とする。
【００１０】
本発明に係るスピーカ装置は、前記貫通軸の軸方向と交差する方向へ突設された凸部と、前記回動軸内部に設けられ前記凸部に当接する段部とを備えることを特徴とする。
【００１１】
本発明に係るスピーカ装置は、前記第１のスピーカを収容する筒体を備えることを特徴とする。
【００１２】
本発明に係るスピーカ装置は、音域の異なる第１のスピーカ及び第２のスピーカを同軸上に配置したスピーカ装置において、前記第１のスピーカを収容する筒体と、該筒体に架設される支持部と、前記第１のスピーカからの音波を拡散するディフューザと、該ディフューザに一端が連結され、前記第１のスピーカのヨークを貫通し、前記支持部に螺合されて前記ディフューザと共に回動する円筒状の回動軸と、一端に前記第２のスピーカが取り付けられ、前記回動軸内部を貫通する貫通軸と、該貫通軸の他端及び前記回動軸の他端を保持する保持部とを備えることを特徴とする。
【００１３】
本発明に係るスピーカ装置は、前記支持部に設けられる案内溝と、該案内溝に案内され、前記保持部から突設された案内軸と、前記保持部にて前記貫通軸の他端を固定する固定部とを備えることを特徴とする。
【００１４】
本発明に係るスピーカ装置は、前記ディフューザに取り付けられ前記第２のスピーカからの音波を拡散する第２ディフューザを備えることを特徴とする。
【００１５】
本発明に係るスピーカ装置は、前記第１のスピーカは、低音用のウーハであり、前記第２のスピーカは、高音用のツイータであることを特徴とする。
【００１６】
本発明に係るスピーカ装置は、前記第１のスピーカは、前記筒体の一端開口に設けられ、前記ディフューザ及び前記第２のスピーカは、前記筒体の一端開口から突出していることを特徴とする。
【００１７】
本発明にあっては、スピーカ装置は音域の異なる第１のスピーカ及び第２のスピーカを備え、これらは同軸上に配置される。第１のスピーカとしては、例えば低音用のウーハであり、第２のスピーカとしては、例えば高音用のツイータである。第１のスピーカからの音波を拡散するディフューザは、回動軸の一端に連結される。また回動軸は第１のスピーカのヨークに螺合される。これにより、ディフューザを回動させた場合、ヨークに螺合される回動軸が回動し、ディフューザは軸方向へ上昇または下降する。
【００１８】
また、貫通軸は円筒状の回動軸内部を貫通し、その一端に第２のスピーカが取り付けられる。ヨーク下側に存在する保持部は、貫通軸の他端及び回動軸の他端を保持する。従って、回動軸の回動に従い保持部は貫通軸及び回動軸と共に軸方向へ上昇または下降し、これらに付随するディフューザ及び第２のスピーカも上昇または下降する。
【００１９】
本発明にあっては、ヨークには案内溝が設けられ、これに対応して案内溝に案内される案内軸が保持部から突設される。これにより、保持部は回動することなく、案内溝による案内軸の移動により軸方向へ上昇または下降する。また保持部に設けられる固定部は貫通軸の他端を固定する。従って、保持部に固定される貫通軸も回動することなく軸方向へ上昇または下降する。
【００２０】
本発明にあっては、回動軸には、第１のスピーカのヨークに螺合されるネジ溝、及び、ヨークに対する螺合を制限するストッパを備える。これにより、ネジ溝に従い回動軸が回動して上昇または下降し、またストッパにより螺合が制限され、下降が制限される。
【００２１】
本発明にあっては、貫通軸の軸方向と交差する方向へ凸部が突設され、この凸部に当接する段部が回動軸内部に設けられる。貫通軸の凸部が回動軸内部の段部に当接することから、回動軸の上下方向の移動に貫通軸の上下方向の移動が追随する。
【００２２】
本発明にあっては、筒体は第１のスピーカを収容し、この筒体には支持部が架設される。回動軸はヨークに螺合されるのではなく、ヨークを貫通し、支持部に螺合される。また、一端に第２のスピーカが取り付けられる貫通軸は、回動軸内部を貫通する。そして、保持部は、貫通軸の他端及び回動軸の他端を保持し、貫通軸及び回動軸の軸方向へ移動する。これにより、ディフューザを回動させた場合、支持部での螺合により回動軸が上昇または下降し、保持部に保持される貫通軸も上昇または下降し、貫通軸に取り付けられる第２のスピーカも併せて上昇または下降する。
【発明の効果】
【００２３】
本発明にあっては、回動軸は第１のスピーカのヨークに螺合されるので、ディフューザを回動させた場合、ヨークに螺合される回動軸が回動し、ディフューザは軸方向へ上昇または下降することになる。また、貫通軸は円筒状の回動軸内部を貫通し、その一端に第２のスピーカが取り付けられ、保持部は、貫通軸の他端及び回動軸の他端を保持する。従って、回動軸の回動に従い保持部は貫通軸及び回動軸と共に軸方向へ上昇または下降し、これらに付随するディフューザ及び第２のスピーカも上昇または下降することになる。これにより、ユーザがディフューザを回動させるだけでディフューザ及びツイータが上下動し、この上下動に応じた好みの音場を作ることが可能となる。
【００２４】
本発明にあっては、ヨークには案内溝が設けられ、これに対応して案内溝に案内される案内軸が保持部から突設される。これにより、保持部は回動することなく、案内溝による案内軸の移動により軸方向へ上昇または下降する。また保持部に設けられる固定部は貫通軸の他端を固定する。従って、保持部に固定される貫通軸も回動することなく軸方向へ上昇または下降する。これにより、回動軸が回動しながら上下方向へ移動するのに対し、第２のスピーカが取り付けられる貫通軸は回動することなく上下方向へ移動するので、第２のスピーカに接続されるコードが絡みつくという事態を回避することが可能となる。
【００２５】
本発明にあっては、回動軸には、第１のスピーカのヨークに螺合されるネジ溝、及び、ヨークに対する螺合を制限するストッパを備える。これにより、ネジ溝に従い回動軸が回動して上昇または下降し、またストッパにより螺合が制限され、下降が制限される。これにより、回動軸に連結するディフューザが必要以上に下側へ移動することを防止できる。その結果、ディフューザとその下側に存在する第１のスピーカとの接触を未然に回避することができる。
【００２６】
本発明にあっては、貫通軸の軸方向と交差する方向へ凸部が突設され、この凸部に当接する段部が回動軸内部に設けられる。貫通軸の凸部が回動軸内部の段部に当接することから、回動軸の上下方向の移動に貫通軸の上下方向の移動が追随する。
【００２７】
本発明にあっては、筒体は第１のスピーカを収容し、この筒体には支持部が架設される。回動軸はヨークに螺合されるのではなく、ヨークを貫通し、支持部に螺合される。また、一端に第２のスピーカが取り付けられる貫通軸は、回動軸内部を貫通する。そして、保持部は、貫通軸の他端及び回動軸の他端を保持し、貫通軸及び回動軸の軸方向へ移動する。これにより、ディフューザを回動させた場合、支持部での螺合により回動軸が上昇または下降し、保持部に保持される貫通軸も上昇または下降し、貫通軸に取り付けられる第２のスピーカも併せて上昇または下降する。この場合、ディフューザに連結する回動軸は、ヨークではなく、支持部に螺合されているので、第２のスピーカに対する第１のスピーカの振動をより低減することが可能となる等、本発明は優れた効果を奏する。
【発明を実施するための最良の形態】
【００２８】
実施の形態１
以下本発明の実施の形態を、図面を参照して説明する。図１はスピーカ装置の概要を示す模式的斜視図である。スピーカ装置は、筐体５（筒体）、第１のスピーカ１、第２のスピーカ２、ディフューザ３、第２ディフューザ４及びスタンド５１０を含んで構成される。なお、以下では第１のスピーカ１を低音用のウーハ１、第２のスピーカ２を高音用のツイータ２であるものとして説明するが、これに限るものではなく、超低音用のサブウーハ、中音用のスコーカまたは超高音用のスーパーツイータ等を第１のスピーカ１または第２のスピーカ２に適宜組み合わせて適用しても良い。
【００２９】
筐体５は木材、アルミニウム等の金属、透光性樹脂、またはガラス等から製造され、中空の筒形状をなす。なお、本実施の形態においては筐体５が断面視略円形の筒形状をなすものとして説明するが、これに限るものではなく断面視楕円形状のものであっても良い。さらに筒形状に限るものではなく、中空三角柱状、または中空多角柱状のものであっても良い。筐体５の下側には、複数のスタンド５１０、５１０、５１０が筐体５外周面にビス止めまたは接着剤等により固定されている。
【００３０】
筐体５上側の開口には、ウーハ１が載置されており、筐体５の長手方向に沿うウーハ１の同軸上にディフューザ３、ツイータ２及び第２ディフューザ４が筐体５上側の開口から突出している。ディフューザ３はウーハ１からの音波を拡散する拡散板３２を備え、この拡散板３２に回動軸３１が連結されている。拡散板３２及びこれに連結される回動軸３１は、略漏斗形状をなす。回動軸３１は後述するように軸の一部がウーハ１のヨークに螺合されており、回動に伴い軸方向へ上昇または下降する。回動軸３１の一端に連結される拡散板３２は平面視が円形、側面視が略Ｖの字型をなし、ウーハ１の振動板１１からの音波を、回動軸３１の軸方向と交差する方向へ拡散する。
【００３１】
回動軸３１は中空の円筒であり、後述するように図示しない貫通軸が内部を貫通している。貫通軸の一端はツイータ２に取り付けられており、他端は後述する保持部に固定されている。ツイータ２は音波出力面を上側に向けて貫通軸に支持されている。ツイータ２の上側にはディフューザ３と略同一形状をなす第２ディフューザ４が設けられている。第２ディフューザ４は、連結棒４１、４１・・・及び拡散板４２を含んで構成される。連結棒４１は一端が拡散板３２の外周に着脱可能に取り付けられており、他端が拡散板４２の外周に固定されている。なお、連結棒４１と拡散板３２の外周との連結を解除することにより、第２ディフューザ４は取り外しが可能である。拡散板４２はツイータ２の上側に設けられる平面視円形、側面視略Ｖの字型をなし、ツイータ２からの音波を回動軸３１の軸方向と交差する方向へ拡散する。
【００３２】
ディフューザ３を把持して反時計回りに回転させた場合、ディフューザ３の拡散板３２に連結される回動軸３１もこれにあわせて回転し上昇する。図２はディフューザ３が上昇した状態を示すスピーカ装置の模式的斜視図である。回動軸３１、ディフューザ３及び第２ディフューザ４の回転に伴いこれらが上昇する。またツイータ２は回転することなく、回動軸３１、ディフューザ３及び第２ディフューザ４の上昇にあわせて上昇する。回動軸３１は中途におけるストッパ３１２を境に外径が減少する構成をなし、ストッパ３１２の上側よりも外径の小さい下側にはネジ溝３１１が形成されている。
【００３３】
このネジ溝３１１に対応するネジ山が後述するようにヨークに形成されている。ディフューザ３等を下降させる場合、ディフューザ３を時計回りに回転させる。ディフューザ３に連結される回動軸３１も、ネジ溝３１１に従い、時計方向へ回転し下降する。これにより、回動軸３１、ディフューザ３及び第２ディフューザ４は回転しつつ下降する。またツイータ２は回転することなく、回動軸３１、ディフューザ３及び第２ディフューザ４の下降にあわせて下降する。回動軸３１の回転が進みストッパ３１２がヨークに当接した場合、下降のための回転が制限され図１の状態に戻ることになる。
【００３４】
図３はスピーカ装置の縦断面を示す模式的縦断面図、図４はスピーカ装置の縦断面を示す斜視図、図５はスピーカ装置を構成する部品の縦断面を示す分解斜視図である。ウーハ１は、ヨーク１２、マグネット１３、トップブレード１４、フレーム１５、コイルボビン１６、ダンパ１７、エッジ１８及び振動板１１を含んで構成される。ウーハ１の底部に設けられる底面視環状のヨーク１２は、ボトムプレート１２１、センターポール１２２及びネジ山１２３を含んで構成される。ドーナツ状のボトムプレート１２１は中心部において回動軸３１を挿通するためのネジ孔１２４が設けられ、ボトムプレート１２１中心部から上側に向けてセンターポール１２２が突設されている。
【００３５】
センターポール１２２は円筒形状をなし、ネジ孔１２４が内部を貫通しており、ネジ孔１２４の周囲、すなわちセンターポール１２２の内周面にはネジ山１２３が形成されている。ネジ山１２３には、回動軸３１のストッパ３１２よりも下側の周面に設けられるネジ溝３１１が螺合される。すなわち、センターポール１２２の内径と回動軸３１下側のネジ溝３１１が形成された周面の外径とが、螺合するよう略同一径としてある。なお、ヨーク１２のセンターポール１２２内周面にネジ山１２３を設け、回動軸３１の下側周面にネジ溝３１１を設ける構成としたが、逆にヨーク１２のセンターポール１２２内周面にネジ溝１２３を設け、回動軸３１の下側周面にネジ山３１１を設けても良い。
【００３６】
ボトムプレート１２１上にはドーナツ状のマグネット１３、トップブレード１４、フレーム１５及びダンパ１７が載置されている。コイルボビン１６はセンターポール１２２の外周面上に設けられ、また図示しないボイスコイルによりセンターポール１２２の外周にて巻回されている。センターポール１２２は、外周にあるコイルボビン１６と共に、さらにその外周にある同心円状のマグネット１３及びトップブレード１４を貫通し、コイルボビン１６はその外周にあるフレーム１５及びダンパ１７を貫通している。
【００３７】
コイルボビン１６の上側は振動板１１に接続されており、コイルボビン１６及び振動板１１により断面視略Ｙの字型の略漏斗形状をなす。振動板１１は上側に延びるに従って平面視における半径が大きくなる断面視略Ｖの字形態をなし、半径が最大となるその外周には断面視半円形の環状のエッジ１８が周設される。エッジ１８の外周側にはさらに断面視矩形状の環状の保持板１５１が周設されている。円筒状の筐体５の上側開口の外周面には断面視Ｌ字型の環状の段部５１が周設されており、この段部５１にウーハ１の保持板１５１が載置される。
【００３８】
次に、ディフューザ３及び貫通軸６の構成について説明する。ディフューザ３は回動軸３１、ネジ溝３１１、案内筒３３、ストッパ３１２、段部３３１、先端面３３０、連結凹３５、エッジ３６及び拡散板３２を含んで構成され、貫通軸６は、ネジ部６４、先端ネジ部６２、及び凸部６１を含んで構成される。回動軸３１は上側（一端）にて拡散板３２に連結される円筒形状をなし、筒内には貫通軸６を挿通するための案内筒３３が形成されている。回動軸３１は、上側から下側（他端）へ向かう中途のストッパ３１２にて、筒の外径が所定長小さくなるよう形成されている。回動軸３１のストッパ３１２の下側外周面には、ヨーク１２のセンターポール１２２内周面のネジ山１２３と螺合するネジ溝３１１が形成されている。
【００３９】
ネジ溝３１１が形成された回動軸３１の外径は上述したように、ヨーク１２のセンターポール１２２内周面であるネジ山１２３に螺合するよう、センターポール１２２の内周面外径と略同一となるよう作成されている。またストッパ３１２より上側の回動軸３１の外径は、ネジ山１２３への螺合を適宜の位置で終了させるべく、センターポール１２２の内周面の外径よりも大きくなるよう作成している。回動軸３１を時計回りに回転させた場合、ディフューザ３は下降し、ストッパ３１２とセンターポール１２２の上面１２６とが当接した時点で、螺合が制限され、下降も終了する。
【００４０】
円筒状の回動軸３１の上側一端は拡散板３２に一体的に連結されており、回動軸３１及び拡散板３２により、断面視が略Ｙの字型の略漏斗形状をなす。拡散板３２は上側に延びるに従って平面視における半径が大きくなる断面視略Ｖの字形態をなし、半径が最大となるその外周には環状のエッジ３６が周設される。エッジ３６の適宜の位置、本実施の形態においては４カ所、には連結棒４１を支持するための連結凹３５が開口を上側に臨ませて設けられている。
【００４１】
貫通軸６の上側（一端）にはツイータ２を取り付けるための先端ネジ部６２が設けられている。先端ネジ部６２の外周面にはネジ山が形成されている。ツイータ２のヨーク２１の中心部底面には上側へ向けて、先端ネジ部６２を螺合するためのネジ溝２２が形成されている。ツイータ２のヨーク２１に形成されるネジ溝２２に、貫通軸６の先端ネジ部６２を螺合することにより、貫通軸６へのツイータ２の取り付けが完了する。
【００４２】
貫通軸６は回動軸３１よりも長手方向の長さが長い円柱状をなし略中央部には凸部６１が突設されている。なお、貫通軸６を回動軸３１と同じく円筒状に構成し、筒内部にツイータ２用のコードを通すようにしても良い。凸部６１は貫通軸６の外径よりも所定長だけ長い外径を有するドーナツ形状をなし、この凸部６１の下面と、回動軸３１の案内筒３３略中央部に設けられる段部３３１とが当接する。凸部６１は貫通軸６の中心軸と交差する方向であって、貫通軸６の外径が増加する方向へ向けて突設されている。反対に、段部３３１は凸部６１を支持するために、回動軸３１の中心軸と交差する方向であって、回動軸３１の内径が減少する方向（案内筒３３の外径が減少する方向）へ向けて突設されている。回動軸３１の回動により段部３３１が上昇または下降した場合、凸部６１が段部３３１に当接することにより、貫通軸６は回動することなく上昇または下降する。
【００４３】
貫通軸６の外径は、回動軸３１の内径（案内筒３３の外径）及び段部３３１よりも下側の内径よりも小さい。また凸部６１の外径は、回動軸３１の内径よりも小さいが、段部３３１との当接を可能とすべく、段部３３１よりも下側の内径よりも大きく構成している。なお凸部６１は貫通軸６と一体成形する他、環状のゴム部材等を用い、貫通軸６に挿通した後、適宜の位置で接着剤等により固定するようにしても良い。
【００４４】
貫通軸６の下側（他端）にはネジ部６４が突設されており、保持部７を介在させて、固定部（以下、ナット６５）によりヨーク１２に固定される。なおネジ部６４の外周面にはナット６５との螺合を可能とすべく、ネジ溝が形成されている。保持部７は回動軸３１及び貫通軸６を保持するものであり、円盤部７３、ネジ溝が内周面に形成された中心穴７２及び案内軸７１を含んで構成される。円盤部７３は略中心部にネジ部６４を挿通するための中心穴７２が形成された平面視が同心円形状の薄型円盤である。円盤部７３の中心穴７２にネジ部６４を螺合し、その下面にてナット６５によりネジ部６４を螺合する。
【００４５】
円盤部７３の上面にはセンターポール１２２の突設方向と同方向に、案内軸７１、７１が突設されている。これら案内軸７１、７１に対応させて、センターポール１２２にはヨーク１２の底面からセンターポール１２２の突設方向へ向けて案内溝１２５、１２５が形成されている。案内軸７１、７１は案内溝１２５、１２５に案内され、最終的に円盤部７３の上面がボトムプレート１２１の底面と接触し、移動が停止する。案内溝１２５の溝の深さは、案内軸７１に従う円盤部７３の下方向への移動を許容すると共に、上方向へ移動した場合に円盤部７３の上面とボトムプレート１２１の底面とが接触するように、案内軸７１よりも若干長い長さとすればよい。
【００４６】
回動軸３１の先端面３３０は、円盤部７３の上面に接触する。回転軸３１が回動した場合でも、先端面３３０は円盤部７３の上面を自由に回動する。回動軸３１の回動に伴い、貫通軸６も、中心穴７２及びナット６５によるネジ部６４の固定、また凸部６１の段部３３１での支持により、併せて上昇または下降するが、案内軸７１、７１の案内溝１２５、１２５の挿通により円盤部７３は回動せず、同様にこれに中心穴７２及びネジ部６４を介して連結される貫通軸６及びツイータ２も回動することがない。
【００４７】
第２ディフューザ４は拡散板４２、連結棒４１及びエッジ４３を含んで構成される。第２ディフューザ４はお椀形状をなし、拡散板４２の外周には環状のエッジ４３が周設されている。エッジ４３の適宜の位置、本実施の形態においては４カ所に連結棒４１が垂設されている。連結棒４１の先端はディフューザ３のエッジ３６上に設けられる連結凹３５に挿入される。
【００４８】
次に筐体５へのウーハ１、ディフューザ３、貫通軸６及びツイータ２等の取り付け手順を、図５を主に参照しつつ説明する。まずウーハ１のセンターポール１２２の上側に開口するネジ孔１２４へ、ディフューザ３の回動軸３１を螺合する。回動軸３１のネジ溝３１１をセンターポール１２２内周面に形成されるネジ山１２３に螺合させ、時計回りに回転させる。回転に伴い回動軸３１は下降し、下降が進むにつれ、回動軸３１のストッパ３１２と、センターポール１２２の上面１２６が当接し、回転が制限される（図４の状態）。
【００４９】
次に、貫通軸６をディフューザ３の案内筒３３に挿入する。貫通軸６の挿入が進み、凸部６１が段部３３１に当接した時点で、挿入が停止される。この場合、貫通軸６の凸部６１よりも下側部分は、ボトムプレート１２１の底面から所定長突出することになる。保持部７の案内軸７１、７１をウーハ１の下側から案内溝１２５、１２５に向けて挿入する。挿入が進むにつれ、ネジ部６４が中心穴７２上側に接触する。貫通軸６を中心穴７２に螺合させる。螺合が進んだ場合、円盤部７３の上面が回動軸３１の先端面３３０に当接し、また中心穴７２下側からネジ部６４が所定長突出する。
【００５０】
円盤部７３の下面中心穴７２から突出した貫通軸６のネジ部６４をナット６５により締め付け、ヨーク１２に対するディフューザ３の回動軸３１及び貫通軸６の取り付けが完了する。その後、貫通軸６の上側に突出する先端ネジ部６２を、ツイータ２のネジ溝２２に挿入し、ツイータ２を時計回りに回転させることにより、ツイータ２の貫通軸６への取り付けが完了する。なお、ツイータ２を貫通軸６へ取り付けた場合に、ツイータ２が拡散板３２と接触しないよう、貫通軸６の長さを設定するようにすればよい。
【００５１】
第２ディフューザ４の連結棒４１をディフューザ３の連結凹３５へ挿入し、第２ディフューザ４のディフューザ３への取り付けが完了する。以上の手順により一体化されたウーハ１、ディフューザ３、貫通軸６、ツイータ２及び第２ディフューザ４は筐体５の上側開口からウーハ１のヨーク１２を下側にして挿入され、保持板１５１を段部５１上に載置することにより、スピーカ装置が完成する。なお、保持板１５１と段部５１との間に振動吸収用のゲル等を間挿するようにしても良い。
【００５２】
図３及び４の状態で、ディフューザ３を半時計回りに回転させた場合、貫通軸６、及びツイータ２が回転することなく上昇し、ディフューザ３、回動軸３１及び第２ディフューザ４が回転と共に上昇することになる。図６はスピーカ装置上昇時の縦断面を示す模式的縦断面図、図７はスピーカ装置上昇時の縦断面を示す斜視図である。ディフューザ３を半時計回りへ回転させた場合、回動軸３１のネジ溝３１１とセンターポール１２２周面のネジ山１２３との螺合により、回動軸３１自身も半時計回りへ回転しつつ上昇する。なお、回動軸３１の先端面３３０は円盤部７３の上面で固定されず、載置されているだけであるので、回転運動は阻害されない。
【００５３】
回動軸３１の上昇に伴い、段部３３１も回転しつつ上昇する。段部３３１に当接する凸部６１は段部３３１の上昇に伴い回転することなく上昇し、結果貫通軸６、並びに、ネジ部６４及びナット６５を介して固定される保持部７も上昇する。保持部７は案内軸７１、７１がセンターポール１２２の案内溝１２５の案内に従って、回転することなく上昇する。保持部７の上昇が進み、保持部７の円盤部７３上面がボトムプレート１２１の底面に当接した時点（図６及び図７の状態）で上昇が停止する。
【００５４】
図６及び図７の状態で、ディフューザ３を時計回りに回転させた場合、逆にディフューザ３は、回動軸３１のネジ溝３１１及びセンターポール１２２のネジ山１２３の螺合を利用して回転しつつ下降する。回動軸３１の先端面３３０は保持部７の円盤部７３上面を下方向へ押すことから、保持部７及びこれに固定される貫通軸６及びツイータ２は回転することなく下降を始める。回転が進み、回動軸３１のストッパ３１２が、センターポール１２２の上面１２６に当接した時点で回転が制限され下降が終了する（図３及び図４の状態）。
【００５５】
実施の形態２
実施の形態１では、回動軸３１が回動するのに対し、貫通軸６及びツイータ２は回動しない形態につき説明したが、実施の形態２に記載の如く、回動軸３１の回動に併せて貫通軸６及びツイータ２が回動する形態であっても良い。図８は実施の形態２に係るスピーカ装置の縦断面を示す模式的縦断面図、図９は実施の形態２に係るスピーカ装置の縦断面を示す斜視図、図１０は実施の形態２に係るスピーカ装置を構成する部品の縦断面を示す分解斜視図である。
【００５６】
実施の形態２の貫通軸６は実施の形態１と異なり、凸部６１は設けられていない。また凸部６１に対応する回動軸３１の内周面にも段部３３１が設けられていない。すなわち案内筒３３の外径は上側から下側にかけて均一となっている。回動軸３１の先端面３３０には下方向へ向けて、案内軸３３２、３３２が突出されている。一方、保持部７の円盤部７３の上面には、案内軸３３２、３３２を案内するための案内溝７４、７４が設けられている。なお、センターポール１２２には案内溝１２５が設けられていない。
【００５７】
回動軸３１から突設される案内軸３３２、３３２は、保持部７の案内溝７４、７４に挿入される。一方、貫通軸６は中心穴７２並びにネジ部６４及びナット６５により保持部７に螺合される。これにより、回動軸３１の回動は、案内軸３３２の案内溝７４への挿入により、円盤部７３の回動を通じて貫通軸６に伝わる。これにより、貫通軸６及びツイータ２は回動軸３１の回動に伴う上昇または下降にあわせて、回動しつつ上昇または下降する。実施の形態２においては、貫通軸６を、回動軸３１の案内筒３３に接触させないよう、回動軸３１の内周面外径（案内筒３３の外径）を、貫通軸６の外径よりも大きく設定すればよい。これにより、回動軸３１と貫通軸６とが接触する部位は、保持部７だけとなり、ウーハ１の音波によるディフューザ３の振動が、貫通軸６ひいてはツイータ２に伝わりにくくなることから、より良い音場を形成することが可能となる。
【００５８】
本実施の形態２は以上の如き構成としてあり、その他の構成及び作用は実施の形態１と同様であるので、対応する部分には同一の参照番号を付してその詳細な説明を省略する。
【００５９】
実施の形態３
実施の形態３はヨーク１２を貫通し、これよりさらに下部の支持部で回動軸３１を螺合する形態に関する。図１１は支持部の構造を示す模式的斜視図である。回動軸３１を、螺合するための支持部８はヨーク１２の下側において筐体５内の適宜の位置に架設される。本実施の形態における支持部８は筐体５内の音の通り抜けを良くするために、支持棒８１、８１、８１、８１を、ネジ孔８３を中心に放射状に延設し、終端側を筐体５の内周面に適宜の手段により取り付けることにより平面視Ｘの字型の形態としている。支持棒８１は例えば木またはプラスチックが用いられ、支持棒８１の終端は接着剤、ネジ止め、または筐体５内周面に凹接される凹部５２への嵌め込みにより固定する。本実施の形態においては筐体５の凹部５２への嵌め込みにより固定する形態につき説明する。
【００６０】
支持部８には、上述したセンターポール１２２の内周面の中心軸、回動軸３１の中心軸及び貫通軸６の中心軸と同じ中心軸をもつネジ孔８３が形成されている。ネジ孔８３は内周面にネジ山８２が形成されており、回動軸３１のネジ溝３１１に螺合される。ネジ孔８３の内周面半径は、ネジ溝３１１との螺合を可能にすべく、回動軸３１の外径と略同一としている。中心部にネジ孔８３を有する支持部８の断面視矩形状の支持棒８１、８１、８１、８１の終端は、筐体５の内周面に凹設された凹部５２に挿入されている。支持棒８１の長手方向の長さ、ネジ孔８３の直径及び支持棒８１の長手方向の長さの総和が筐体５の内周面直径よりも長くなるように支持部８を形成し、支持棒８１を撓ませ、凹部５２にその先端を挿入する。
【００６１】
図１２は実施の形態３に係るスピーカ装置を構成する部品の縦断面を示す分解斜視図である。実施の形態１と異なる点は、上述した支持部８がヨーク１２の下側に架設されている点、並びに、回動軸３１及び貫通軸６が実施の形態１よりも適宜延設されている点等である。図１２に示すように、ネジ孔８３は実施の形態１で述べたセンターポール１２２と同じく、保持部７の案内軸７１、７１を案内するための案内溝８５、８５がネジ孔８３下側から上側に向けて形成されている。
【００６２】
円筒状をなすセンターポール１２２の内周筒の外径は、回動軸３１のストッパ３１２の下側の外径よりも大きく、ストッパ３１２の上側の外径よりも大きく設定している。この場合、回動軸３１はヨーク１２のセンターポール１２２内周面に接触することなく貫通する。そして、回動軸３１が最も下降する位置、すなわち、センターポール１２２の上面１２６とストッパ３１２とが当接する時点で下降が制限される。ネジ孔８３には実施の形態１で述べたセンターポール１２２のネジ山１２３と同一のネジ山８２が形成されており、回動軸３１のネジ溝３１１と螺合する。
【００６３】
貫通軸６のネジ部６４は実施の形態１と同じく保持部７の中心孔７２で螺合されて下側から突出し、ナット６５により支持部８に固定される。実施の形態１と同じく、回動軸３１がネジ山８２とネジ溝３１１との螺合により回動し、回動軸３１が上昇または下降した場合、貫通軸６は案内溝８５、８５に挿通される案内軸７１、７１の存在により、回動することなく、また中心穴７２並びにネジ部６４及びナット６５の円盤部７３による固定、並びに、段部３３１における凸部６１の保持により、貫通軸６及びツイータ２は回動することなく回動軸３１の上昇または下降にあわせて上昇または下降する。回動軸３１は、ストッパ３１２にてセンターポール１２２の上面１２６に当接する以外は、ウーハ１に接触しない。また貫通軸６は回動軸３１に対し、保持部７を介してのみ接触しているので、ウーハ１のツイータ２に対する振動の影響をより低減することが可能となる。
【００６４】
なお、支持部８はヨーク１２の下側であれば、筐体５内部のどの位置に設けても良く、本実施の形態の如く、筐体５の長手方向略中央部に架設する他、筐体５の長手方向長さが短い場合は、筐体５の底面開口付近に支持部８を設けるようにしても良い。また支持部８は平面視Ｘ字型の支持棒８１により構成したが、この形態に限るものではなく、ツイータ２を支持できる形態であれば他の形態であっても良い。例えば、中央部にネジ孔８３を有する格子状またはメッシュ状の円盤により支持部８を形成しても良い。
【００６５】
本実施の形態３は以上の如き構成としてあり、その他の構成及び作用は実施の形態１と同様であるので、対応する部分には同一の参照番号を付してその詳細な説明を省略する。
【図面の簡単な説明】
【００６６】
【図１】スピーカ装置の概要を示す模式的斜視図である。
【図２】ディフューザが上昇した状態を示すスピーカ装置の模式的斜視図である。
【図３】スピーカ装置の縦断面を示す模式的縦断面図である。
【図４】スピーカ装置の縦断面を示す斜視図である。
【図５】スピーカ装置を構成する部品の縦断面を示す分解斜視図である。
【図６】スピーカ装置上昇時の縦断面を示す模式的縦断面図である。
【図７】スピーカ装置上昇時の縦断面を示す斜視図である。
【図８】実施の形態２に係るスピーカ装置の縦断面を示す模式的縦断面図である。
【図９】実施の形態２に係るスピーカ装置の縦断面を示す斜視図である。
【図１０】実施の形態２に係るスピーカ装置を構成する部品の縦断面を示す分解斜視図である。
【図１１】支持部の構造を示す模式的斜視図である。
【図１２】実施の形態３に係るスピーカ装置を構成する部品の縦断面を示す分解斜視図である。
【符号の説明】
【００６７】
１      ウーハ
２      ツイータ
３      ディフューザ
４      第２ディフューザ
５      筐体
６      貫通軸
７      保持部
８      支持部
１１    振動板
１２    ヨーク
１４    トップブレード
３１    回動軸
３２    拡散板
３３    案内筒
３５    連結凹
６１    凸部
６２    先端ネジ部
６４    ネジ部
６５    ナット
７１    案内軸
７２    中心穴
７３    円盤部
７４    案内溝
８１    支持棒
８２    ネジ山
８３    ネジ孔
８５    案内溝
１２１  ボトムプレート
１２２  センターポール
１２３  ネジ山
１２４  ネジ孔
１２５  案内溝
３１１  ネジ溝
３１２  ストッパ
３３０  先端面
３３１  段部
３３２  案内軸
【図１】
2008182482.tif 000003
【図２】
2008182482.tif 000004
【図３】
2008182482.tif 000005
【図４】
2008182482.tif 000006
【図５】
2008182482.tif 000007
【図６】
2008182482.tif 000008
【図７】
2008182482.tif 000009
【図８】
2008182482.tif 000010
【図９】
2008182482.tif 000011
【図１０】
2008182482.tif 000012
【図１１】
2008182482.tif 000013
【図１２】
2008182482.tif 000014